(57)【要約】【課題】シートに配線する必要のないシートベルトリマインダ装置を提供する。【解決手段】シートベルトリマインダ装置は、車体に設けられたショルダアンカー１５に支持されたシートベルト１０の装着の有無を検知する装着検知部２２を有する。装着検知部２２は、シート１の上方に配置されたショルダアンカー１５に設けられ、装着検知部２２のワイヤハーネス２９は、シート１の近くのピラー１６に沿ってフロアの下側まで配線される。シートベルト１０が装着されると、ショルダアンカー１５に支持されたシートベルト１０は引っ張られて移動する。装着検知部２２は、シートベルト１０の移動を検知する。シートベルト１０の移動が検知されると、シートベルト１０が装着されたと判断することができる。【選択図】図１
2019093728.tif 000002
【特許請求の範囲】
【請求項１】
車体に設けられたショルダアンカーに支持されたシートベルトの装着の有無を検知する装着検知部を有するシートベルトリマインダ装置であって、装着検知部は、ショルダアンカーに設けられ、シートベルトの装着によるシートベルトの移動を検知することを特徴とするシートベルトリマインダ装置。
【発明の詳細な説明】
【技術分野】
【０００１】
本発明は、シートに着座した乗員がシートベルトを装着しているか否かを検知して、シートベルト未装着の場合、警告を発するシートベルトリマインダ装置に関する。
【背景技術】
【０００２】
シートに着座した乗員のシートベルトの未装着を検知するシートベルトリマインダ装置は、乗員がシートに着座したことを検知する着座検知センサとシートベルトの装着を検知するバックルスイッチと乗員が着座してもシートベルトが未装着のときに警告するシートベルトウォーニング装置を備えている。着座検知センサはシートに設けられ、バックルスイッチはバックルに設けられている。ランプ等のシートベルトウォーニング装置がインストルメントパネルのディスプレイなどのシートから離れた位置に設けられる。着座検知センサおよびバックルスイッチは、シートから車体のフロアに敷設されたワイヤハーネスを介してボディＥＣＵに接続され、ボディＥＣＵがシートベルトウォーニング装置の動作を制御する。
【０００３】
従来のシートベルトリマインダ装置では、フロアに設置されたシートからフロアに電気配線が必要となる。この電気配線を簡単な構成にすることが望まれる。特許文献１に記載のシートベルトリマインダ装置では、三点式シートベルトのバックルに、バックルスイッチ、着座検知センサおよび着座した乗員がシートベルト未装着のときに警告を発するブザー、ＬＥＤランプ等のシートベルトリマインダ手段が一体的に設けられる。バックルがシートベルトリマインダ機能を有し、シートベルトリマインダ装置を簡単な構成にすることができる。
【先行技術文献】
【特許文献】
【０００４】
【特許文献１】特開２００８−４４５７０号公報
【発明の概要】
【発明が解決しようとする課題】
【０００５】
上記のシートベルトリマインダ装置では、フロアに取り付けられたバックルがシートベルトリマインダ機能を備えている。しかし、バックル内のシートベルトリマインダ装置へのワイヤハーネスは、バックルからフロアに配線しなければならない。
【０００６】
ここで、商用車などの後席に設けられている簡易な折り畳みシートでは、脚が折り畳んで収納可能なパイプによって形成され、バックルがシートに一体的に設けられる。このようなシートのバックルにシートベルトリマインダ装置が一体的に設けられると、シートからフロア上に配線しなければならず、ワイヤハーネスが露出する。シートを折り畳んで格納し、フロアに荷物を載せると、ワイヤハーネスに荷物が接触して、ワイヤハーネスが損傷しやすくなる。そのため、ワイヤハーネスをカバーで覆うといった対策が必要となり、コスト、重量、生産性の問題が生じる。また、シートの格納を繰り返すと、ワイヤハーネスに負荷がかかり、傷みやすくなる。
【０００７】
そこで、本発明は、上記に鑑み、シートに配線する必要のないシートベルトリマインダ装置の提供を目的とする。
【課題を解決するための手段】
【０００８】
本発明のシートベルトリマインダ装置は、車体に設けられたショルダアンカーに支持されたシートベルトの装着の有無を検知する装着検知部を有し、装着検知部は、ショルダアンカーに設けられ、シートベルトの装着によるシートベルトの移動を検知する。
【０００９】
ショルダアンカーは、シートの上方に配置され、シートベルトが装着されると、シートベルトは引っ張られて、ショルダアンカーに支持されたシートベルトは未装着時の位置から移動する。装着検知部がこのシートベルトの移動を直接的あるいは間接的に検知する。シートベルトの位置の変化の有無により、シートベルトが装着されたか未装着かを判断することができる。
【発明の効果】
【００１０】
本発明によると、装着検知部をフロアから離れた位置にあるショルダアンカーに設けることにより、ワイヤハーネスはシートの近くのピラーに沿って配線され、ワイヤハーネスをシートから配線する必要がなくなる。これにより、ワイヤハーネスがフロア上に露出しないので、ワイヤハーネスの損傷を防ぐことができる。
【図面の簡単な説明】
【００１１】
【図１】本発明の実施形態のシートベルトリマインダ装置を用いたシートの斜視図
【図２】シートベルトリマインダ装置の制御ブロック図
【図３】シートベルトの装着によるシートベルトの位置の変化を示す図
【図４】シートベルトリマインダ装置の動作を示すフローチャート
【発明を実施するための形態】
【００１２】
本発明の実施形態の三点式シートベルトを備えた車両用シートを図１に示す。シート１は、商用車などの車両に設けられる後席用の格納可能なシート１とされ、車体のフロアに設けられる。シート１は、シートクッション２、シートバック３、ヘッドレスト４から構成される。
【００１３】
シートバック３は、シートクッション２に対して折り畳み可能に設けられる。シートクッション２の下部にパイプ製の脚５が取り付けられ、脚５はフロア上に載置される。脚５の前側がフロアに設けられたヒンジ６に回動可能に支持され、シート１はヒンジ６を中心にして前方に向かって回動可能とされる。シート１を折り畳んで前方に向かって回動することにより、シート１を格納することができる。
【００１４】
シートベルト１０を構成するウェビング１１の一端がリトラクタ１２に装着され、ウェビング１１の他端が車体に固定されている。ウェビング１１に挿通されたタングプレート１３は、シート１に取り付けられたバックル１４に着脱可能に保持される。ウェビング１１の中間部分が車体に移動可能に設けられたショルダアンカー１５に支持される。
【００１５】
リトラクタ１２は、シート１の近傍のセンターピラー１６に取り付けられ、図示しないピラーガーニッシュによって覆われている。ショルダアンカー１５は、センターピラー１６の上部に支軸１７により回動可能に支持される。ショルダアンカー１５にスリット孔１８が形成され、スリット孔１８にピラーガーニッシュから車内に延びるウェビング１１が挿通される。
【００１６】
そして、このシート１は、シートベルト１０の未装着を警告するためにシートベルトリマインダ装置を備えている。図２に示すように、シートベルトリマインダ装置は、乗員がシート１に着座したことを検知する着座検知部２１と、シートベルト１０の装着の有無を検知する装着検知部２２と、乗員がシート１に着座しているにもかかわらずシートベルト１０が未装着のときに警告を発する警告部２３と、シートベルト１０の装着および乗員の着座を判断して、警告部２３を動作させる制御部２４とを有する。
【００１７】
着座検知部２１は、シート１にかかる圧力を検出する圧力センサ２５を用い、シート１の脚５の下方のフロアに配置される。圧力センサ２５はシート１の脚５に接触するようにフロア上に露出するが、圧力センサ２５に接続されたワイヤハーネス２６は、フロアの下側を通ってボディＥＣＵからなる制御部２４まで配線される。したがって、着座検知部２１のワイヤハーネス２６はフロア上に露出することはなく、ワイヤハーネス２６の損傷を防止できる。
【００１８】
乗員がシート１に座ると、着座検知部２１にかかる圧力が高まる。着座検知部２１は、シート１から受ける圧力を検出し、圧力に応じた圧力信号を制御部２４に出力する。制御部２４は、圧力信号に基づいて乗員が着座しているか否かを判断する。
【００１９】
装着検知部２２は、シート１の上方に配置されたショルダアンカー１５に設けられ、シートベルト１０の装着によるシートベルト１０の移動を検出する。装着検知部２２として、シートベルト１０の移動を検出するために近接スイッチ２７が用いられ、シートベルト１０の移動に伴うショルダアンカー１５の移動を検出する。すなわち、ショルダアンカー１５に凸部２８が形成され、ショルダアンカー１５が回動すると、凸部２８が近接スイッチ２７に接触する。このようにして、装着検知部２２はシートベルト１０の移動を間接的に検出する。
【００２０】
近接スイッチ２７は、センターピラー１６に取り付けられる。近接スイッチ２７に接続されたワイヤハーネス２９は、センターピラー１６に沿って配線され、フロアの下側を通って制御部２４に接続される。ワイヤハーネス２９は、ピラーガーニッシュに覆われ、室内に露出しない。
【００２１】
乗員がシートベルト１０を装着するとき、シートベルト１０は引っ張られて移動する。このとき、シートベルト１０の移動に伴ってショルダアンカー１５は回動して、位置が変化する。すなわち、シートベルト１０が未装着のとき、図３（ａ）に示すように、シートベルト１０の他端側は下側を向いている。ショルダアンカー１５の凸部２８は近接スイッチ２７から離れて位置している。シートベルト１０が装着されると、図３（ｂ）に示すように、シートベルト１０が前方に引っ張られて移動し、ショルダアンカー１５も引っ張られて時計回りに移動する。ショルダアンカー１５が回動すると、ショルダアンカー１５の凸部２８が近接スイッチ２７に接触して、近接スイッチ２７がオンする。オン信号が制御部２４に出力される。制御部２４は、装着検知部２２からの出力に基づいて、シートベルト１０の装着あるいは未装着を判断する。
【００２２】
警告部２３は、シートベルト１０の未装着を表示および音によって警告する。警告部２３による警告は、インスツルメントパネルに設けられたディスプレイに表示されるとともに、スピーカから音を出す。
【００２３】
乗員がシート１に座って、車両のスタートスイッチをオンすると、シートベルトリマインダ装置は動作する。図４に示すように、制御部２４は、乗員がシート１に着座したかを検知する。乗員がシート１に座っていると、着座検知部２１は、シート１にかかる圧力に応じた圧力信号を制御部２４に出力する。制御部２４は、圧力信号に基づいて着座したと判断する。
【００２４】
次に、制御部２４は、シートベルト１０が装着されたかを検知する。シートベルト１０が未装着のとき、ショルダアンカー１５は移動しないので、近接スイッチ２７はオフのままである。制御部２４は、シートベルト１０が未装着であると判断し、警告部２３を動作させる。警告部２３によりシートベルト１０の未装着が警告される。
【００２５】
シートベルト１０が装着されると、ウェビング１１が引っ張られることにより、ショルダアンカー１５が回動して、凸部２８が移動する。凸部２８が近接スイッチ２７に接触し、近接スイッチ２７がオンする。オン信号を受け取った制御部２４は、シートベルト１０が装着されたと判断し、警告部２３の動作を停止させる。警告部２３による警告が行われなくなる。
【００２６】
シートベルト１０の装着の有無を検知する装着検知部２２をシート１あるいはフロアに設けた場合、ワイヤハーネスがフロアに露出する。そこで、装着検知部２２をショルダアンカー１５に設けることにより、車内に露出しないように配線することができるので、ワイヤハーネスの損傷を防ぐことができる。特に、格納可能なタイプのシート１において、このシートベルトリマインダ装置は有用である。
【００２７】
なお、本発明は、上記実施形態に限定されるものではなく、本発明の範囲内で上記実施形態に多くの修正および変更を加え得ることは勿論である。装着検知部２２として、近接スイッチ２７の代わりに、回転センサを用いて、ショルダアンカー１５に一体的に設けられた支軸１７の回動を検出する。シートベルト１０が装着されると、シートベルト１０の移動に伴い支軸１７が所定の角度以上回動し、回転センサにより回動した角度が検出される。制御部２４は、検出した角度に基づいて、シートベルト１０が装着されたかを判断する。また、ショルダアンカー１５が上下方向あるいは前後方向にスライド可能な場合、シートベルト１０の装着によって、ショルダアンカー１５がスライドして、ショルダアンカー１５の位置が変化する。装着検知部１５は、このショルダアンカー１５の移動を検出する。装着検知部２２は、近接スイッチ、光センサなどを用い、ショルダアンカー１５の位置の変化を検出する。
【００２８】
装着検知部２２として、装着によって移動するシートベルト１０を直接検出してもよい。装着検知部２２は、光センサを用いる。光センサは、出射光が未装着のシートベルト１０に当たるように、センターピラー１６に設けられる。シートベルト１０が未装着のとき、シートベルト１０からの反射光が検出される。シートベルト１０が装着されると、シートベルト１０が移動して、シートベルト１０からの反射光が検出されなくなる。制御部２４は、反射光の有無に基づいて、シートベルト１０の装着、未装着を判断する。
【００２９】
着座検知部２１として、後席のドアの開閉を検知してもよい。ドアが開いたとき、制御部２４は、乗員が車内に入ってシート１に座ったと判断する。ドアが開かないとき、制御部２４は、乗員はシート１に座っていないと判断する。このような着座検知部２１においても、ワイヤハーネスはフロアに露出しないように配線できる。
【００３０】
フロア上をスライド可能な前席あるいは後席のシート１に上記のシートベルトリマインダ装置を適用してもよい。この場合、着座検知部２１は、シート１内に設けられた着座センサとされる。
【符号の説明】
【００３１】
１    シート
１０    シートベルト
１５    ショルダアンカー
１６    センタ―ピラー
２１    着座検知部
２２    装着検知部
２３    警告部
２４    制御部
２５    圧力センサ
２６    ワイヤハーネス
２７    近接スイッチ
２９    ワイヤハーネス
【図１】
2019093728.tif 000003
【図２】
2019093728.tif 000004
【図３】
2019093728.tif 000005
【図４】
2019093728.tif 000006